(57)【要約】      （修正有）【課題】無線ネットワーク上の他のコンピューター装置から無線装置に供給されるアプリケーションおよびサービスのための加入を自動的に作成するシステム、方法、およびコンピュータープログラムを提供する。【解決手段】加入は、アプリケーションまたはサービスへの継続的アクセスのために無線装置加入者による定期払い込みを必要とする。システムは、無線ネットワーク全域において、アプリケーションダウンロードサーバーのような他のコンピューター装置との無線装置エンドユーザー相互作用を監視し、エンドユーザーがコンピューター装置からアプリケーションまたはサービスを得ると、システムは自動的にその加入を記録し、その加入のための無線装置加入者に勘定書で請求するかまたは加入者に勘定書で請求するために、通信事業者または他のエンティティに勘定書を送信する。【選択図】図２
2014241152.tif 000002
【特許請求の範囲】
【請求項１】
下記を具備する、無線ネットワーク上の少なくとも１つのサーバーから無線装置に供給されるアプリケーションおよびサービスのための加入を自動的に作成するためのシステム：
無線ネットワークにわたって、他のコンピューター装置と選択的に通信する１つ以上の無線装置、各無線装置は、エンドユーザー、および選択的にダウンロード可能であり、ソフトウェアアプリケーションを実行可能であり、前記エンドユーザーによりアクセス可能なコンピュータープラットフォームを含み、前記無線装置は、さらに、前記無線ネットワークにアクセスするための加入者を有する；および
前記無線ネットワークにわたって前記１つ以上の無線装置と選択的に通信する少なくとも１つのサーバー、前記少なくとも１つのサーバーは、前記無線ネットワークを介して前記無線装置のエンドユーザーの要求に応じて前記１つ以上の無線装置と選択的に相互作用し、前記無線ネットワークにわたって前記少なくとも１つのサーバーとのエンドユーザーの相互作用は、アプリケーションまたはサービスの加入を生ぜしめ、そのような加入は、アプリケーションまたはサービスへの連続したアクセスのために前記無線装置加入者による定期的な支払いを必要とする。
【請求項２】
各無線装置のための前記加入は、前記少なくとも１つのサーバーにおいて加入データに集められる、請求項１のシステム。
【請求項３】
前記加入データは、前記無線ネットワークを介して他のコンピューター装置に送信される、請求項１のシステム。
【請求項４】
前記少なくとも１つのサーバーは、さらに、前記１つ以上の無線装置の加入のための請求明細書を定期的に発生する、請求項１のシステム。
【請求項５】
前記発生された請求明細書は、前記少なくとも１つのサーバーから前記無線ネットワーク上の他のコンピューター装置に送信される、請求項４のシステム。
【請求項６】
前記加入は、前記少なくとも１つのサーバーから前記無線装置コンピュータープラットフォームへのアプリケーションのダウンロード時に生じる、請求項１のシステム。
【請求項７】
前記加入は、前記少なくとも１つのサーバー上に存在するアプリケーションの実行時に生じる、請求項１のシステム。
【請求項８】
前記加入は、前記無線ネットワーク上の他のコンピューター装置上に存在するアプリケーションへの前記無線装置のアクセス時に生じ、前記少なくとも１つのサーバーはそのようなアクセスを記録する、請求項１のシステム。
【請求項９】
前記サーバーは、さらに、前記１つ以上の無線装置の加入終了イベントを追跡する、請求項１のシステム。
【請求項１０】
前記加入終了イベントは、前記エンドユーザーが加入を終了することを要求したことを前記無線装置が示すことである、請求項１のシステム。
【請求項１１】
前記加入終了イベントは、前記無線装置が加入したアプリケーションを削除することであり、前記無線装置は、前記少なくとも１つのサーバーにそのようなアプリケーション削除を通知する、請求項１のシステム。
【請求項１２】
下記を具備する、無線ネットワーク上の少なくとも１つのサーバーから無線装置に供給されるアプリケーションおよびサービスのための加入を自動的に作成するためのシステム：
無線ネットワークの全域で他のコンピューター装置と選択的に通信し、さらに、ソフトウェアアプリケーションを選択的にダウンロードし実行する無線通信手段、前記無線通信手段は、さらに前記無線ネットワークにアクセスするための加入者を有する；および  無線ネットワークの全域において、コンピューター装置との無線通信手段の相互作用を監視する加入監視手段、そのような相互作用は、アプリケーションまたはサービスの加入を生じ、そのような加入は、前記アプリケーションまたはサービスへの連続したアクセスのために前記無線通信手段加入者により定期的支払いを必要とする。
【請求項１３】
無線ネットワークの全域において１つ以上の無線装置と選択的に相互作用するサーバー、各無線装置は、エンドユーザー、およびソフトウェアアプリケーションを選択的にダウンロードし実行することができ、前記エンドユーザーによりアクセス可能なコンピュータープラットフォームを含み、前記無線装置は、さらに前記無線ネットワークにアクセスするために加入者を有し、前記サーバーは、無線ネットワークの全域において無線装置に供給されるアプリケーションおよびサービスのための加入を自動的に作成する、前記加入は、前記無線ネットワークの全域においてコンピューター装置とのエンドユーザーの相互作用により生じ、そのような加入は、前記アプリケーションまたはサービスへの連続したアクセスのために前記無線装置加入者による周期的な支払いを必要とする。
【請求項１４】
各無線装置のための加入は、前記サーバーにおいて加入データに集められる、請求項１３のサーバー。
【請求項１５】
前記加入データは、無線ネットワークの全域において他のコンピューター装置に送信される、請求項１３のサーバー。
【請求項１６】
前記少なくとも１つのサーバーは、さらに前記１つ以上の無線装置の前記加入のために請求明細書を周期的に発生する、請求項１３のサーバー。
【請求項１７】
前記サーバーの加入は、前記サーバーから前記無線装置コンピュータープラットフォームへのダウンロード時に生じる、請求項１３のサーバー。
【請求項１８】
前記加入は、前記サーバー上に常駐するアプリケーションの実行時に生じる、請求項１３のサーバー。
【請求項１９】
前記加入は、前記無線ネットワーク上の他のコンピューター装置上に常駐するアプリケーションへの前記無線装置のアクセス時生じ、前記サーバーはそのようなアクセスを記録する、請求項１３のサーバー。
【請求項２０】
前記サーバーは、前記１つ以上の無線装置の加入終了イベントをさらに追跡する、請求項１３のサーバー。
【請求項２１】
前記加入終了イベントは、前記エンドユーザーが前記加入を終了するように要求したことを前記無線装置が示すことである、請求項２０のサーバー。
【請求項２２】
前記サーバーは、無線装置が加入されたアプリケーションを削除する通知を受信し、それにより加入終了イベントを生じさせる、請求項２０のサーバー。
【請求項２３】
下記を具備する、無線ネットワーク上のコンピューター装置から無線装置に供給されるアプリケーションおよびサービスのための加入を自動的に作成するための方法：
無線装置とサーバーとの間におけるエンドユーザーの相互作用から、アプリケーションとサービスの加入を生じさせる、前記無線装置は、無線ネットワーク全域において他のコンピューター装置と選択的に通信し、ソフトウェアアプリケーションを選択的にダウンロードして実行し、前記エンドユーザーによりアクセス可能なコンピュータープラットフォームを含む；および
サーバーにおいて、無線装置のための前記加入を記録する、そのような加入は、前記アプリケーションまたはサービスへの連続したアクセスのために前記無線装置加入者により周期的な支払いを必要とする。
【請求項２４】
請求項２３の方法、無線ネットワーク上の他のコンピューター装置に前記記録された加入を送信するステップをさらに具備する、請求項２３の方法。
【請求項２５】
前記記録された加入に基づいて無線装置のための請求明細書を前記サーバーにおいて発生するステップをさらに具備する、請求項２３の方法。
【請求項２６】
前記請求明細書を前記サーバーから前記無線ネットワーク上の他のコンピューター装置に送信するステップをさらに具備する、請求項２５の方法。
【請求項２７】
前記加入を生じさせるステップは、前記無線ネットワーク上のコンピューター装置から前記無線装置コンピュータープラットフォームにアプリケーションをダウンロードすることを介して加入を生じさせる、請求項２３の方法。
【請求項２８】
前記加入を生じさせるステップは、前記無線装置上のアプリケーションの実行を介して加入を生じさせる、請求項２３の方法。
【請求項２９】
前記無線装置の加入終了イベントを追跡するステップをさらに具備する、請求項２３の方法。
【請求項３０】
前記加入終了イベントを追跡するステップは、前記エンドユーザーが前記加入を終了するように要求したことを示す無線装置の表示を追跡することである、請求項２９の方法。
【請求項３１】
前記加入終了イベントを追跡するステップは、無線装置が加入したアプリケーションを削除することを追跡することである、請求項３０の方法。
【請求項３２】
前記無線装置が、前記サーバーに、加入したアプリケーションの削除を通知するステップをさらに具備する、請求項３１の方法。
【請求項３３】
下記を具備する、無線ネットワーク上のコンピューター装置から無線装置に供給されるアプリケーションおよびサービスための加入を自動的に作成する方法：
前記無線装置から前記無線ネットワーク上のサーバーへの前記無線装置エンドユーザー相互作用から生じるアプリケーションおよびサービスの無線装置加入者により加入を生じさせるための加入者引き起こしステップ、そのような加入は、前記アプリケーションまたはサービスへの連続的なアクセスのために前記無線装置加入者による定期的支払いを必要とする；および
前記無線ネットワーク上の１つ以上のサーバーにおいて、前記無線装置のための前記加入の記録ステップ。
【請求項３４】
無線ネットワーク上のコンピューター装置により実行されると、前記コンピューター装置は、選択的にアプリケーションとサービスを無線ネットワーク上の無線装置に供給し、前記コンピューター装置に下記のステップを実行するように命令するコンピュータープログラム：
無線装置からコンピューター装置への無線装置エンドユーザー相互作用からアプリケーションとサービスの加入を生じさせる、前記無線装置は、無線ネットワークの全域において他のコンピューター装置と選択的に通信し、ソフトウェアアプリケーションを選択的にダウンロードし実行し、前記エンドユーザーによりアクセス可能なコンピュータープラットフォームを含む；および
前記コンピューター装置において、前記無線装置のための前記加入を記録する、そのような加入は、前記アプリケーションまたはサービスへの連続したアクセスのために前記無線装置加入者による定期的支払いを必要とする。
【請求項３５】
前記記録された加入を前記無線ネットワーク上の他のコンピューター装置に送信するステップを実行するように前記コンピューター装置にさらに命令する、請求項３４のプログラム。
【請求項３６】
前記記録された加入に基づいて無線装置のための請求明細書を発生するステップを実行するように前記コンピューター装置にさらに命令する、請求項３４のプログラム。
【請求項３７】
前記請求明細書を前記無線ネットワーク上の他のコンピューター装置に送信するステップを実行するように前記コンピューター装置にさらに命令する、請求項３６のプログラム。
【請求項３８】
プログラムは、加入を生じさせるステップに、コンピューター装置から無線装置コンピュータープラットフォームへのアプリケーションのダウンロードを介して加入を生じさせるように命令する、請求項３４のプログラム。
【請求項３９】
前記無線装置の加入終了イベントを追跡するステップを実行するように前記コンピューター装置にさらに命令する、請求項２３のプログラム。
【請求項４０】
前記プログラムは、前記加入終了イベントを追跡するステップに、前記エンドユーザーが前記加入を終了するように要求したことを示す無線装置の表示を追跡するように命令する、請求項３９のプログラム。
【請求項４１】
前記プログラムは、前記加入終了イベントを追跡するステップに、前記無線装置が加入されたアプリケーションを削除したことを示す無線装置からの通知を追跡するように命令する、請求項４０のプログラム。
【発明の詳細な説明】
【技術分野】
【０００１】
この発明は、一般に無線通信とコンピューターネットワークに関する。より具体的には、この発明は、無線装置の自動加入、およびネットワーク通信事業者および第三者により無線装置サービス加入者に供給されるサービスに対するエンド・ツー・エンドの課金機構をサポートするためのインフラストラクチャを供給するためのシステムおよび方法に関する。
【背景技術】
【０００２】
携帯電話のような無線装置は、無線ネットワークを介して音声およびデータを含むパケットを通信する。セルラー電気通信システムのような既存の無線電気通信システムにおいて、無線サービスプロバイダーまたは通信事業者は、加入者の無線装置がセルラーネットワークにアクセスする時間に対してプロバイダーに支払う無線サービス加入者を有する。
【０００３】
料金は、電気通信装置の初期起動に対して加入者に典型的に課金され、進行中の通信時間および装置の使用に対して課金されることができる。しかしながら、既存のシステムは、通信時間の使用を越えた電気通信装置における他の活動に対しては考慮していない。
【０００４】
さらに、無線装置の加入者がソフトウェアアプリケーションをダウンロードして使用することを望んだり、電気通信装置の機能性をアップグレードすることを望むなら、ユーザーは典型的にサービスプロバイダーに電話をかけたりまたは別個のインターネットアクセスのような他の電子手段を介してサービスプロバイダーとコンタクトをとるであろう。いくつかのインスタンスにおいて、サービスプロバイダーは、無線ネットワークを介して（１回限りのダイレクトアクセスダウンロードを介して)無線装置にアプリケーションを送信することができる。または、サービスプロバイダーは、ユーザーが無線ネットワークを介して無線装置でネットワークサイトをアクセス可能にすることができる。そのようなサイトにおいて、アプリケーションは、加入者にダウンロード可能であるかまたはアクセス可能である。そうでなければ、プロバイダーのサービス係りは、ソフトウェアをインストールするかあるいは該ソフトウエアのコンポーネントをアップグレードするために電気通信デバイスに、物理的にアクセスしなければならない。
【０００５】
さらに、コンピューター技術の急激な増加は、ソフトウェアアプリケーションの開発をより簡単に、より安価にした。コンピュータープログラマーは、容易にパーソナルコンピューター上でビデオゲームあるいはユーティリィティアプリケーションを開発することができる。また、プログラマーは、無線ハンドセットを含む異なるコンピューターハードウェアプラットホーム上で実行するようにゲームを調整することができる。しかしながら、個々のアプリケーション開発者は、製品を開発し市場で販売することの困難性、特に無線装置上で実行可能なアプリケーションに対して困難性に遭遇する。開発者は、最初にアプリケーションの完全版を作成し、次に、なんらかの収入を引き出すためにそれを通信事業者に販売しなければならない。従って、無線装置市場のためにアプリケーションを作成することは開発者にとって、収益の保証のない大きな投資である。
【０００６】
無線通信事業者はユーザーのためのアプリケーションを開発するために独立した開発者を頼りにしても良いが、この処置は、通信事業者に対して新しい問題を引き起こすだろう。今日、通信事業者は、多くの開発者を雇う代わりに、これらの独立した開発者によって開発された製品の使用を追跡する必要がありそれに応じて開発者に支払う必要がある。これは、それ自体非常に大きな仕事であり得る。
【０００７】
従って、通信事業者のためのエンド・ツー・エンドの課金を取り扱うシステムおよび方法を提供することは利点があるであろう。そのようなシステムは無線サービスプロバイダーが単純な通信時間を越えて加入者に付加価値商品およびサービスを供給可能にするとともに、アプリケーション開発者が自分たちの製品に対して報酬を受け取ることができるようにしなければならない。従って、この発明は、主として無線装置加入者のための加入課金を自動的に管理するためのそのようなシステムおよび方法に向けられている。
【発明の概要】
【０００８】
この発明は、無線装置のエンドユーザーと、コンピュータ装置との相互作用期間中に、無線ネットワーク上の他のコンピューター装置から無線装置に供給されるアプリケーションおよびサービスのためのアプリケーションまたはサービスの加入料金プランを自動的に管理するシステム、方法、およびコンピュータープログラムを開示する。アプリケーションまたは加入が有効にされると、加入は、アプリケーションまたはサービスを引き続きアクセスするために無線装置の通信事業者のサービスの加入者（ネットワーク上で相互作用する無線装置のエンドユーザーである必要はない)による（月１回のような)定期的な支払いを必要とする。無線装置のエンドユーザと、アプリケーションダウンロードサーバーのような他のコンピューター装置との相互作用は、相互作用がアプリケーションまたはサービス加入データを記録するのと同じサーバーとの相互作用の場合には、直接に、またはエンドユーザーが他のコンピューター装置からアプリケーションまたはサービスを得るときには、無線ネットワークを介して、監視される。アプリケーションまたはサービスの加入は、加入（複数の場合もある）の無線装置加入に直接課金されることができるか、または加入者に課金するために通信事業者または他のエンティティに請求書を送ることができる。一実施形態において、システムは、無線ネットワークを介して他のコンピューター装置と選択的に通信する１つ以上の無線装置を含む。ここにおいて、各無線装置は、エンドユーザーを有するとともに、アプリケーションを選択的にダウンロードして実行することができる、エンドユーザーによりアクセス可能なコンピュータープラットフォームを有する。少なくとも１つのサーバーは、無線ネットワークを介して１つ以上の無線装置と選択的に通信し相互作用する。そのような相互作用は、典型的に、該サーバーを用いてダウンロードするためにまたは該サーバーと相互作用するために無線ネットワークを介した無線装置のエンドユーザーの要求に応じて生じる。無線ネットワークを介した少なくとも１つのサーバーとエンドユーザーとの相互作用によって、アプリケーションまたはサービスの加入が生じる。該加入は、同じサーバーで、または無線ネットワーク上のいくつかのコンピューター装置の相互作用を介して、記録され課金されることができる。
【０００９】
無線ネットワーク上のコンピューター装置から無線装置に供給されるアプリケーションおよびサービスの加入料金プランを管理するための方法は、特に、アプリケーションおよびサービスの加入が無線装置とサーバーとの間のエンドユーザーの相互作用から生じさせるステップと、無線装置の加入をサーバーで記録するステップを含む。この方法は、また、無線装置の通信事業者のサービスの加入者に課金するステップと、自動的に加入を中止するために無線装置による加入の削除を追跡するステップを含むことができる。
【００１０】
従って、このシステムと方法は、アプリケーションとサービスを提供するために必要なインフラストラクチャを構築する必要なしに、アプリケーションとサービスを無線サービス加入者に供給する個々の開発者からの付加価値サービスを無線電気通信事業者が提供可能にする。システムは、通信事業者自身、通信事業者の加入者に対してインボイスを発生することによりさらなるサポートを提供することができ、アプリケーションおよびサービスのプロバイダーに対して加入に対する支払いをすることができるが、一実施形態では、システムは単に課金および徴収のために加入記録を通信事業者に送る。従って、システムのユーザーは、無線装置に対する第三者のアプリケーションおよびサービスをサポートする際に課金サーバー(billing server)（複数の場合もある）の制御および責務の度合いを調整することができる。
【００１１】
この発明の他の目的、利点、および特徴は、以下に述べる図面の簡単な説明、発明の詳細な記載およびクレームを精査した後でより明白になるであろう。
【図面の簡単な説明】
【００１２】
【図１】図１は、自動加入システムをサポートする電気通信システムの一実施形態を描くシステム図である。
【図２】図２は、第三者開発者、ネットワーク通信事業者、および無線装置間のインターフェースアーキテクチャの一実施形態を図解するブロック図である。
【図３】図３はエンドユーザーアプリケーションまたはサービス加入プロセスを図解するフローチャートである。
【図４】図４は、第三者アプリケーションサーバー上の加入プロセスを図解するフローチャートである。
【図５】図５は、エンドユーザーの加入終了プロセスを図解するフローチャートである。
【図６】図６は、第三者のコンピューター装置上の削除プロセスを図解するフローチャートである。
【図７】図７は、通信事業者ネットワークの無線加入者の月ぎめの請求プロセスを図解するフローチャートである。
【図８】図８は、無線ネットワーク通信事業者のエンドユーザーに供給される、第三者アプリケーションおよびサービスのための複数の当事者間の決済(multi-party settlement)を図解する図である。
【図９】図９は、システムの一実施形態に従う請求記録の実例である。
【図１０】図１０は、システムの一実施形態に従う製品（アプリケーションまたはサービス）記録の実例である。
【図１１】図１１は課金サーバーの例示実施形態である。
【発明を実施するための形態】
【００１３】
この記載において、「通信装置」、「無線装置」、「手持ち式の携帯電話」、および「ハンドセット」という用語は、互換性をもって使用される。「サーバー」および「エンド・ツー・エンド課金システム」という用語は互換性をもって使用される。ここに使用される「アプリケーション」という用語は、実行可能および非実行可能なソフトウエアファイル、生データ、総計値、パッチ、および他のコードセグメントを包含することを意図している。「無線装置のサービス加入者」は、ネットワーク通信時間、すなわち、無線装置からの音声およびデータ呼に対して、通信事業者に支払う、通信事業者のサービスの顧客である。「アプリケーションまたはサービス加入」は、典型的に定期的に、例えば毎月課金される、アプリケーションダウンロードサーバーのようなネットワーク上の他のコンピューター装置から無線装置のエンドユーザーによって購入される付加価値サービスまたはアプリケーションである。「付加価値加入者」は、付加価値サービスに加入し、加入した付加価値サービスをアクセスするとき自動加入を起動する必要のない当事者である。したがって、いくつかのインスタンスにおいて、購入するエンドユーザーは、無線装置加入者と同じ人物でないかもしれない。一例は、実際に無線装置サービス加入者である親の無線装置を使用する子供のエンドユーザーである。さらに、いくつかの図面において類似した数字が類似のエレメントを指す。第三世代（３Ｇ）無線通信技術の到来により、より多くの帯域幅が無線通信のために利用可能になり、増強された能力を有した携帯電話、ページャー、携帯情報端末（ＰＤＡｓ）のようなハンドセットおよび無線電気通信装置が利用可能になった。今日、ユーザーは、他の当事者との音声通信を維持するために使用することに加えて、天候をチェックし、電子メールを受け取り、ページングメッセージを受け取り、インターネットをあちこち移動し、無線ハンドセットを介して遠隔相手と対話型ゲームをプレイすることができる。同時に、コンピューター技術の発達によって、デジタルメディアを開発してそれを無線装置に配信することが容易かつ安価になった。ダウンロード可能なアプリケーションのような、さらに付加価値の高いサービスを提供することによって、無線サービスプロバイダーまたは通信事業者に収益をもたらすことができ、さらなる利益を得るための１つの方法は、独立したアプリケーション開発者に支援を提供することである。それゆえ、この発明は、以下にさらに記載されるように、ネットワーク通信事業者のエンドユーザーにアプリケーションを提供する第三者の独立したアプリケーションプロバイダーに対して課金サポートを提供する。
【００１４】
図１は、この発明に従って使用される通信ネットワーク１００を描く。通信ネットワーク１００は無線通信ネットワーク、公衆交換電話網（ＰＳＴＮ）１１０およびインターネット１２０を含む。無線通信ネットワークは、各々が、基地局（ＢＳ）１０４、および通信装置１０６を有したサービングユーザー(serving user)と接続される１つ以上の通信タワー１０２を含む。通信装置１０６は、無線およびセルラ電気通信ネットワークを使用する、携帯電話、ページャー、携帯情報端末（ＰＤＡｓ）、ラップトップコンピューター、または他のハンドヘルドの、固定の、またはポータブルの通信装置である得る。各ユーザーにより入力されるコマンドおよびデータはデジタルデータとして通信タワー１２０に送信される。通信装置１０６を使用するユーザーと、通信タワー１０２との間の通信は、符号分割多元接続(ＣＤＭＡ）、時分割多元接続(ＴＤＭＡ）、周波数分割多元接続（ＦＤＭＡ）、移動体通信のためのグローバルシステム（ＧＳＭ）（登録商標）、または無線通信ネットワークまたはデータ通信ネットワークにおいて使用されてもよい他のプロトコルのような異なる技術に基づくことができる。各ユーザーからのデータは、通信タワー１０２から基地局（ＢＳ）１０４に送信され、公衆交換電話網（ＰＳＴＮ）１１０に接続されてもよい、モバイルスイッチングセンタ（ＭＳＣ）１０８に送られる。
【００１５】
ＰＳＴＮ１１０はＭＳＣ１０８を介して、インターネット１２０および無線通信ネットワークに接続される。ＰＳＴＮ１１０は、ダイアルアップサービスを介してコンピューター１１６を使用してインターネットにアクセスするユーザーをサポートする。ユーザーはコンピューター１１６を利用し、電話線１１８を介してダイアルし、インターネットサービスプロバイダー（ＩＳＰ）１２２にアクセスする。ＩＳＰ１２２は、コンピューター１１６のユーザーとインターネット１２０との間の接続を提供する。コンピューター１１４のユーザーは、さらに、デジタル加入者線（ＤＳＬ）、Ｔ１接続および同種のような高速データ接続を介してＩＳＰ１２２に直接アクセスしてもよい。インターネット１２０は高速データネットワークである。ユーザーは、インターネット１２０上のハブに接続することにより、インターネットに直接アクセスしてもよいし、またはインターネット１２０に接続されたＩＳＰ１２２を介してアクセスしてもよい。課金サーバー１１２は、インターネット１２０、ＭＳＣ１０８、またはＰＳＴＮ１１０に接続されていてもよい。望ましくは、課金サーバー１１２は、ＭＳＣ１０８に直接接続される。サーバー１１２は、無線装置１０６へのアクセスを必ずしも必要としないが、もっぱらネットワーク上に常駐することができ、サーバーからのファイルレベルのインターフェースは装置へのダウンロードイベントを収集して課金可能な使用記録に変換することができる。
【００１６】
図２は、無線装置１０６によってアクセスされたアプリケーションおよびサービスの自動加入を生じる、無線装置１０６によるアクセスに利用可能な仮想市場におけるデータフローを描くインターフェースアーキテクチャ２００である。この出願の自動加入システムは、一実施形態に従う仮想市場のサブシステムであってもよいし、他の実施形態に従う仮想市場に課金サービスを提供する独立したシステムであってもよい。一般的にコンピューター１１４または１１６にアクセスする独立した開発者２０２は、開発者エクストラネットとしても知られているインターフェース２０４を介して、課金サーバー、アプリケーションダウンロードサーバー、または無線ネットワーク上の任意のコンピューター装置上に常駐することができる仮想市場に自分の製品を提出することができる。したがって、本明細書にさらに定義されるように、１つのサーバーは、仮想市場全体に売却代金の完全な課金および収集を供給することができ、または、課金は、定格課金記録を作成し加入課金サービスを処理するための市場へのインターフェースを備えた、仮想市場から独立したシステムであり得る。また、開発者２０２は、開発者エクストラネット２０４を介して自己の製品を提出してもよく、開発者エクストラネット２０４が製品を仮想市場２０６に送ってもよく、または、開発者は製品を仮想市場２０６に直接提出することができる。開発者が通信事業者なら、アプリケーションは、通信事業者エクストラネットを介して提出される。インターフェース２０４は、サーバー、またはサーバー上のファイル転送プロトコル（ＦＴＰ）準拠ポート、または他のデータ相互接続と通信するウエブサイトであってもよい。通信事業者エクストラネット２０８は通信事業者のプライベートネットワークへのインターフェースであってもよい。開発者エクストラネット２０４および通信事業者エクストラネット２０８は、仮想市場２０６をイネーブルにする共通のサーバー１１２またはデータベースに典型的にインターフェースすることに留意する必要がある。ある共通の接続性なしに、開発者エクストラネットと通信事業者エクストラネットとの間の相互作用をイネーブルにするために、両者がプライベートネットワーク上でホストになることができない (cannot be hosted)ならば、インターネットを介してサーバー１１２または共通のデータベースにインターフェースする両方のエクストラネットを介してネゴシエーション(negotiation)を生じることができる。
【００１７】
一実施形態において、開発者２０２が、ソフトウェアアプリケーションのような自己の製品を仮想市場に提出することが可能になる前に、開発者２０２は製品が仮想市場２０６によって確立された基準に準拠することを証明しなければならない。仮想市場２０６は、自己の製品を仮想市場に提出することを望む開発者が順守しなければならない環境のための基準のセットを発行する。製品を標準化することにより、仮想市場の環境をサポートする製品が、ユーザーのハンドセット上で問題なく実行することができることを保証する。
【００１８】
そのような環境の１つの例は、クァルコム株式会社によって開発された無線のためのバイナリランタイム環境（ＢＲＥＷ（登録商標））およびＢＲＥＷ分散システム（ＢＤＳ）である。また、製品は、第三者の試験機関により適合性試験を必要とするかもしれない。
【００１９】
開発者２０２が製品を提出した後、開発者エクストラネットは開発者２０２と通信事業者の間の製品の価格の交渉を可能にする。その交渉は、開発者エクストラネット(２０４)を用いて仮想市場２０６内で、通信事業者(複数の場合もある)、他の第三者、および開発者２０２との間で直接行ってもよいし、または通信事業者エクストラネット２０８を用いて通信事業者２１２を介して行なってもよい。したがって、開発者２０２は、アプリケーションとサービスを通信事業者の顧客に配信するために、他の開発者、および通信事業者と交渉することができる。交渉の後、仮想市場２０６は、開発者２０２と通信事業者２１２との間のアプリケーション価格プランに対する協定を維持する。交渉がスタートする前に、製品は創作者である開発者に関連づけることができる。
【００２０】
製品が製品カタログに含まれ、通信装置１０６のユーザー２１０に利用可能になった後、無線装置のエンドユーザー２１０は、通信事業者を介して無線電気通信サービスをアクセスし、通信事業者２１２から製品カタログを受信する。エンドユーザー２１０は製品カタログを見て、製品カタログから製品を選択することができる。「選択」というステップは、アプリケーションダウンロード、メニュー表示、データ転送、診断ツールまたは、無線装置１０６と課金サーバー１１２、または他の通信装置との間の任意の他のコンピューター相互作用であり得る。
【００２１】
選択は、ユーザー無線装置１０６から通信事業者２１２に送信され、通信事業者は、サーバー１１２に送り、サーバー１１２は、この構成においてはアプリケーションダウンロードサーバーとして動作する。サーバー１１２は選択をチェックし、製品を無線装置にダウンロードする。アプリケーションは通信事業者２１２を介してエンドユーザーの無線装置１０６に発送される。アプリケーションを受信した後、エンドユーザー２１０は、エンドユーザーの無線装置１０６上でアプリケーションを活性化することができる。ある製品の場合、サーバー１１２は、製品全体をユーザー装置１０６に発送する必要はなく、製品のユーザーインターフェース部分のみの場合がある。ユーザーインターフェースはユーザーの無線装置１０６を介してエンドユーザー２１０と相互作用し、情報を、アプリケーションが実行されているサーバー１１２に返送する。他の実施形態では、アプリケーションは無線装置上で実行されるか、またはアプリケーションが第三者のサーバーからサービス／コンテンツをアクセスし、サーバー１１２上で実行されないことに留意する必要がある。
【００２２】
図３は無線装置１０６におけるエンドユーザープロセス３００を図解する。無線装置１０６の電源が入れられ通信事業者と通信しているとき、無線装置１０６は、ステップ３０２に示すようにユーザーに入手可能な製品およびサービスのカタログを受信し、ステップ３０４に示すように該カタログを無線装置の表示スクリーンに表示する。ユーザーに利用可能な製品およびサービスは対話型のゲーム、パーソナルアポイントメント(personal appointment)アプリケーションおよび他のユーティリティプログラムを含んでいてもよい。
【００２３】
ユーザーは、関連した価格を備えた製品をカタログから選ぶことができ、ステップ３０６に示されるように、選択は無線装置１０６によって受信される。無線装置１０６は、ステップ３０８に示されるように、データチャネルを介して、エンドユーザーの選択およびダウンロード要求を通信事業者２１２に送信し、通信事業者２１２は、その選択を、ユーザーおよびアプリケーションダウンロード情報とともにサーバー１１２に送る。通信事業者１１２は、ユーザ固有の情報を保持することに非常に敏感なので、ステップ３１０に示されるように、ハンドセット１０６はまた通常最小限のユーザ情報を通信事業者２１２を介してサーバ１１２に送る。サーバー１１２は選択された製品を検索しユーザーの無線装置１０６に発送する。ステップ３１２で示されるように、エンドユーザーの無線装置１０６が製品を受信すると、エンドユーザーの無線装置１０６はエンドユーザーの製品を活性化する。他の実施形態において、アプリケーションまたはサービスダウンロード時の代わりに、ステップ３１２の後にダウンロードアクノレジメントが送信されることができることに留意する必要がある。
【００２４】
図４は、サーバー１１２上で実行される仮想市場自動加入プロセス４００の一実施形態を図解する。サーバー１１２は、ステップ４０２に示されるように、ユーザー情報およびダウンロード要求とともに、ユーザ選択を通信事業者２１２（または無線装置)から受信し、ステップ４０４に示されるように、ユーザが付加価値サービスの加入者かどうか、すなわち、アプリケーションダウンロードまたはインタラクティブサービスの加入者かどうか確かめることができる。しかし、アプリケーションまたはサービスの加入が無線装置のエンドユーザーにより再開されることができるなら、このチェックを実行する必要はない。また、該加入はダウンロードアクノレジメントの一部であり得る。例えば、該ダウンロードは、３０日間のアプリケーションの使用という１回限りの購入であってもよいし、または月ぎめの加入であってもよく、エンドユーザーは、使用ごとの支払いまたは月ぎめの加入のオプションを持つことができる。ユーザーが月ぎめの無線サービス加入者であると確認されると、サーバー１１２はステップ４０６に示されるように要求を記録し、ステップ４０８で示されるように製品を検索する。製品を検索した後に、ステップ４１０に示されるように、サーバー１１２は、通信事業者ネットワークを介して製品を無線装置１０６に送信する。
【００２５】
そのように具現化されるなら、ユーザーが月ぎめの加入者でないなら、サーバー１１２は、判断４１２において生じるように、受信したユーザー情報をチェックし、ユーザーが無線通信事業者の認証された加入者であるかどうかを確認することができる。反対に、サーバー１１２は、プリペイド式の無線装置、または特定の通信事業者のサービスに加入していない他の装置によってコンタクトされることができる。その場合、支払いの他の方法についてエンドユーザーと打ち合わせることができる。あるいは、この時点において、ユーザーがサービスの、認証された、通信事業者のユーザーであることを認証するために、通信事業者２１２の認証サービスに対するユーザ認証チェックを、サーバー１１２から行うことができる。ユーザーは無線サービス加入者であり、いまのところは、付加価値サービス加入者でないかもしれない。これは、利用回数制(pay per use)の状況であろう。無線装置１０６が無線サービス加入者であるなら、サーバー１１２はその無線加入者の情報と、その加入者のために設定された口座を有する。ステップ４１４に示されるように、サーバー１１２は要求を記録し、ステップ４１６で示されるように、１回限りの課金可能なイベントを発生する。また、サーバー１１２は月ぎめの課金記録を発生することができ（ステップ４１８）、課金記録を通信事業者２１２に送信することができる（ステップ４２０）。課金可能なイベントが記録されなかった、またはダウンロードが成功したことが確認されたことに基づいてステップ４２２において口座が作られたので、ステップ４１４、４１６、４１８、４２０は、ステップ４１０まで発生しなくてもよいことに留意しなければならない。あるいは、サーバー１１２はネットワーク上の他の装置に、ダウンロードされたアプリケーションの課金記録を作成させるためにデータを送信することができる。利用回数制付加価値加入の場合、課金記録は、ダウンロードされたアプリケーションまたは他の加入イベント毎に発生される。課金プロセス（プリペイ(pre-pay)のみ）が処理された後、サーバー１１２はステップ４０８に進み製品を検索し、ステップ４１０においてそれをユーザーに送信する。後払いイベント(post pay events)の場合、ダウンロードを開始し、ダウンロードイベントが記録され、エンドユーザーが装置上にアプリケーションを有した後で課金が処理される。
【００２６】
他の実施形態において、システムはまた、ユーザーがプリペイド無線電話を使用しているとき、すなわち、ユーザーが月ぎめの無線サービス加入者ではない状況にも対処する。
【００２７】
無線電話装置はプリペイド装置であり得る。ここにおいて、ユーザーは、無線通信サービスを前もって購入することができる。さらに、アプリケーションダウンロードサーバーは、第１に、アプリケーションダウンロードを認証し、第２に顧客口座に請求するために、通信事業者が提供するプリペイサービスに電話をかけることができる。従って、プリペイ消費者は、加入に基づいたアプリケーションをダウンロードすることができない。購入されたサービスの金額は、無線装置自体に記憶してもよいし、または、無線装置に挿入可能なカードに記憶してもよい。ユーザーが無線電話をかけるごとにこの金額が差し引かれる。金額を使い果たしたとき、ユーザーが補充するかまたは新しいプリペイドカードを購入しない限り、無線装置はもはや電話をかけることができない。
【００２８】
既存の加入口座を持たない無線装置加入者がダウンロードのために製品を選択するとき、サーバー１１２は、ステップ４２２に示すようにこのユーザーのために自動的に口座を作成することができ、あたかも月ぎめの加入者であるかのように同様に続行することができる。使用記録がサーバー１１２に存在する場合にのみ、そのようなステップは不必要である。もしそのように具現化されれば、ステップ４１８で示されるように課金記録が発生され、ステップ４０８で示されるようにユーザに送られる前に、ステップ４２０で示されるように、課金記録が発生され、ステップ４１０で示されるように通信事業者に送信される。通信事業者２１２は、ユーザーのプリペイド金額から、製品に対する課金記録からの金額を差し引いてもよい。
【００２９】
ステップ４０６またはステップ４１４に示されるように要求を記録するとき、サーバー１１２は、ユーザー情報から商品の購買層情報を抽出することができ、それを製品情報と一緒に記録することができる。商品の購買層情報を得る１つの方法は、顧客および購買傾向についての詳細な情報を得るために加入者ＩＤ(ＳＩＤ）を用いることである。商品の購買層情報は製品の開発者に提供されてもよく、それにより製品のユーザについてアイデアを有してもよい。また、商品の購買層情報は通信事業者に提供され、通信事業者が類似の製品またはサービスを加入する傾向があるユーザについてのより良い実態を持つことが出来るようにしてもよい。
【００３０】
図５は、削除プロセス５００の使用により、製品の稼働中の加入を終了するエンドユーザープロセスを図解する。エンドユーザーは、ステップ５０２で示されるように、無線装置１０６上に表示された稼働中のアプリケーションから製品を選ぶことができる。無線装置１０６は２以上のカタログを表示することができる。すなわち、すべての製品のためのカタログと、ユーザーが関連する個人またはグループに向けられた製品のためのカタログである。ステップ５０４で示されるように、無線装置１０６は選択を受信し、ステップ５０６で示されるように、削除要求を、製品およびユーザー情報とともにサーバー１１２に送信する。あるいは、アプリケーションが無線装置１０６上に単独で常駐するなら、アプリケーションを削除し、加入解除するためにカタログを閲覧する必要はない。ユーザーは、装置上のアプリケーションを削除するためにアプリケーションマネージャを利用することができ、削除イベントは、キューイングされ、次のデータ呼でサーバー１１２に送信される。
【００３１】
図６は、特定の付加価値が付けられた加入者に関する製品に対してユーザが加入を終了するためのサーバープロセス６００を図解する。ステップ６０２において、サーバ１１２、すなわち、アプリケーションダウンロードサーバーまたはトランザクションサーバがステップ６０２において、削除要求および関連情報を受信すると、サーバー１１２は、ステップ６０４に示されるように、ＳＩＤ情報のようなユーザーレコードを検索し、ステップ６０６で示されるように、アクティブな加入製品のリストから製品を除去することによりユーザー記録を更新する。該要求は、エンドユーザーが加入を有する常駐アプリケーションの単純な削除であり得、フラッグまたは他の通知手段が該削除の通知のためにサーバー１１２に送信されることができる。
【００３２】
システムは従って柔軟な加入プランを支援することができる。ユーザは、ユーザが１ヶ月あたりの固定価格を支払い、無線装置加入者がカタログ内に記載されているすべての製品をアクセスすることができる定額料金サービスプランを加入してもよい。また、エンドユーザーは、月ぎめの加入料金が、いくつの製品を、またはどの製品をユーザが加入したかに依存する、調節可能な価格のサービスプランに加入してもよい。また、ユーザーは、特定の使用回数に対する１回限りの定額料金に基づいてアプリケーションを購入してもよい。システムは、どんな方法が提供されても、その加入に対して自動的に課金するであろう。
【００３３】
図７は、通信事業者サーバ上のプロセスであり得る、毎月のインボイス(invoice)プロセスを示す。そのように具現化されるなら、サーバー１１２は、月決めのアプリケーションおよびサービス加入者に対するインボイスまたは他の課金情報を毎月定期的に発生することができ、該インボイスまたは他の課金情報を無線装置サービス加入者の通信事業者２１２に送信することができる。サーバー１１２は、ステップ７０２に示されるように、加入者記録を検索し、ステップ７０４に示されるようにこれらの無線サービス加入者に対して課金記録を発生する。顧客は、加入サービスまたは１回限りの購入である製品を利用してもよい。サーバー１１２は、複数の通信事業者および異なる通信事業者を有した加入者をサポートしてもよいので、ステップ７０６に示されるように課金記録が分離され、通信事業者の特定のタグが付けられた識別子に基づいて通信事業者に送信される。
【００３４】
図８は、開発者２０２、加入課金システム８０２、通信事業者２１２および無線装置２１０のエンドユーザー間の金銭上の関係を図解する関係マップ８００である。加入課金システム８０２は２以上の通信事業者２１２をサポートしてもよく、通信事業者ごとに別々にインボイスを発生してもよい。発生されたインボイスは、開発者２０２が見るのに利用可能である。各通信事業者２１２は、製品カタログから製品またはサービスを加入したまたは使用した個々のユーザーに請求書を送信し、各ユーザー２１０からの支払いを受け取る。通信事業者２１２は、インボイスを課金システム８０２に支払い、課金システム８０２は、開発者２０２に支払う。
【００３５】
該関係８００はこの発明の利点を示す。開発者２０２にとっては、この発明は、製品のマーケティングを容易にし、個々のバイヤーと取り引きする厄介さ、または、それらの製品を扱う発行元を捜すという厄介さを取り除く。通信事業者２１２にとっては、エンドユーザー２１０に利用可能なより多くの製品を作る方法を提供し、従って、多数のソフトウエア開発者を雇う必要なしに、より多くの利益を発生する新しい手段を提供する。ユーザー２１０にとっては、この発明はより多くのアプリケーションをユーザー２１０が利用可能にし、ページャー、パーソナルデジタルアシスタンツ（ＰＤＡ）あるいはゲーム装置などのような複数の電子機器をユーザが持ち運ぶ必要性を無くすかもしれない。
【００３６】
図９は、課金記録９００の例示実施形態を図解する。課金記録９００はサーバ１１２内の課金データベース内に維持され、ユーザー識別９０２、通信事業者識別９０４、加入プラン識別９０６、インボイス９０８（これは、レート(rated)価格情報、開発者の料金、およびリスト価格情報を含むことができる)、および使用法の情報９１０を有する。課金記録は課金サーバ１１２によって生成され、各通信事業者２１２に送られる。次に、通信事業者２１２は、レート価格に対してユーザーに課金する。通信事業者２１２は、無線装置加入者に課金する前にインボイス価額を調整してもよい。
【００３７】
図１０はこの発明の一実施形態に従う製品記録１０００を図解する。製品記録１０００は、開発者が見るためにアクセス可能である。開発者が入手できない通信事業者の機密情報が課金記録にあるので、課金記録のサブセットのみが開発者にアクセス可能であることに留意する必要がある。製品記録１０００は、課金サーバ１１２内の製品データベース内に保持され、開発者識別フィールド１００２、製品識別フィールド１００４、（リスト価格のような）加入使用情報フィールド１００６、利用回数制(pay-per-use)使用情報フィールド１００８および１つ以上のユーザー情報フィールド１０１０を有する。加入使用フィールド１００６は、何人の付加価値加入者(value-added subscribers) が月ベース(monthly basis)でこの製品を加入したかを記載することができる。利用回数制使用フィールド１００８は、何人の特定の付加価値加入者が利用回数制に基づいてこの製品を加入したかを記録することができる。ユーザー情報フィールド１０１０は、受信したユーザー情報から抽出された商品の購買層データ(demographical data)を記載してもよい。使用記録(usage record)は、また加入者ｉｄ、タイムスタンプ、部品番号、部品名、イベントタイプ（すなわち、ダウンロードまたは削除）、アプリケーションリスト価格、アプリケーション開発者料金、アプリケーションライセンス情報などのような情報も含むことができる。
【００３８】
図１１は、サーバ１１２上で実施することができるような課金サーバーのコンポーネントの一実施形態を図解する。サーバ１１２は、インボイス発生器１１０２、加入記録装置１１０４、開発者インターフェース１１０６、コントローラー１１０８、製品データベース１１１０、カタログライブラリ１１１２、開発者口座マネージャー１１１４、通信事業者インターフェース１１１６および課金データベース１１１８を有する。インボイス発生器１１０２は、インボイスを通信事業者に発生する。加入記録装置１１０４は、ユーザー選択を記録する。開発者インターフェース１１０６は、開発者から製品の付託(product submissions)を受け取り、加入情報を見るために開発者にアクセスする。製品データベース１１１０は、提出されたすべての製品を記憶する。カタログライブラリ１１１２は、異なる通信事業者およびハードウェアプラットフォームのために考案されたすべてのカタログを記憶する。開発者口座マネージャー１１１４は加入情報または他のデータを開発者に供給し、開発者に支払う。通信事業者インターフェース１１１６は、通信事業者とインターフェースする。課金データベース１１１８は、すべてのユーザーのための課金記録を記録する。コントローラー１１０８は、サーバ１１２の動作を監視する。他の実施形態において、アプリケーションダウンロードサーバーあるいはトランザクションマネージャーは通信事業者インボイスを発生し、通信事業者課金システムは、顧客インボイスを発生する。従って、トランザクションマネージャーは、アクティブな加入を管理し、通信事業者課金システムに出力(get exported)された加入課金イベントを月ごとに発生し、トランザクションマネージャーは、開発者への支払いの調整に関して開発者２０２のための課金サービスをサポートすることができるが、この概略使用情報は、ＳＩＤ等のような通信事業者の機密使用情報を含まない。
【００３９】
開発者は、開発者識別番号を入力することにより開発者インターフェース１１０６により操作されるインターフェース２０４を介してサーバー１１２にアクセスすることができる。サーバー１１２は各開発者に識別番号とパスワードを割り当てる。識別番号とパスワードを入力した後に、課金サーバー１１２は、開発者が、開発者識別番号に関連した少なくとも課金サポートサービスをアクセス可能にする。
【００４０】
従って、複数のパーティーをサポートするエンド・ツー・エンド課金システム８０２を供給する方法をシステムがもたらすことが理解できる。ここにおいて、加入課金システム８０２は、種々の通信事業者を介して複数の開発者および多数のエンドユーザーをサポートする。システムは、加入を生じるイベントおよび加入を終了するイベントのみを見るエンドユーザーにはトランスペアレントである。システムは、これらのイベント間の課金を処理する。課金システム８０２は、各開発者のための個々の口座を開設する。ここにおいて、各開発者により開発された製品は自分の口座に記入される。加入課金システム８０２はまた、各エンドユーザーを通信事業者と関連づけることができ、各エンドユーザーのサービスプランを記録する。システムは、また、製品要求を記録し、要求された製品をエンドユーザーに配信し、１回使用するごとに一人ひとりに、または加入に基づいて月ごとに、インボイスを発生することができる。そのように具現化されるなら、各通信事業者から集められた支払い金は記録され、集められた支払い金の妥当な一部が、エンドユーザによって製品が使用されたまたは加入された開発者に分配される。
【００４１】
サーバー１１２のようなコンピューティング装置のコンピュータープラットフォーム上で実行可能な方法を考慮して、この発明はコンピューター読み取り可能媒体に常駐するプログラムを含む。ここにおいて、プログラムは、サーバー、またはコンピュータープラットフォームを持つ他のコンピューティング装置にこの方法のステップを実行するように命令する。コンピューター読み取り可能媒体はサーバー１１２のメモリであることができ、または結合することができるデータベース内に存在することができる。さらに、コンピューター読み取り可能媒体は、無線装置コンピュータプラットフォーム上にロードすることができる、磁気ディスクまたは磁気テープ、光ディスク、ハードディスク、フラッシュメモリ、または技術的に知られている他の記憶媒体のような二次記憶媒体中に存在することができる。
【００４２】
図３乃至図７のコンテキストにおいて、該方法は、例えば、サーバー１１２のような機械読み取り可能命令のシーケンスを実行するために無線ネットワークの操作部(operating portions)（複数の場合もある)により実施されてもよい。命令は、種々のタイプの信号を保持するまたはデータを記憶する、一次、二次、または三次の媒体に存在することができる。媒体は例えば、無線ネットワークのコンポーネントによってアクセス可能な、またはコンポーネント内に存在するＲＡＭ（図示せず)を含んでいてもよい。ＲＡＭ、ディスケット、または他の二次記憶媒体に含まれていようとなかろうと、命令は、ＤＡＳＤ記憶装置（例えば、一般的な「ハードドライブ」またはＲＡＩＤアレイ)、磁気テープ、電子リードオンリメモリ(例えばＲＯＭ、ＥＰＲＯＭまたはＥＥＰＲＯＭ)、フラッシュメモリカード、光学記憶装置（例えば、ＣＤ−ＲＯＭ、ＷＯＲＭ、ＤＶＤ、デジタル光学テープ)、紙「パンチ」カード、または、デジタルおよびアナログ送信媒体を含む他の適切なデータ記憶媒体のような様々な機械読み取り可能データ記憶媒体上に記憶されてもよい。
【００４３】
この発明は特に好適実施形態を参照して図示され記載されたけれども、以下のクレームに記載したこの発明の精神と範囲に逸脱することなく、種々の形態と詳細の変更を行ってもよいことは、当業者により理解されるであろう。更に、この発明のエレメントは、単数として記載されまたはクレームしてもよいけれども、単数への限定が明白に述べられない限り、複数が意図される。
【図１】
2014241152.tif 000003
【図２】
2014241152.tif 000004
【図３】
2014241152.tif 000005
【図４】
2014241152.tif 000006
【図５】
2014241152.tif 000007
【図６】
2014241152.tif 000008
【図７】
2014241152.tif 000009
【図８】
2014241152.tif 000010
【図９】
2014241152.tif 000011
【図１０】
2014241152.tif 000012
【図１１】
2014241152.tif 000013
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
通信ネットワークを通して製品および／またはサービスをコンピュータ装置に提供するように構成されたサービスコンピュータ装置を動作する方法において、
前記通信ネットワークを通してカタログを所与のコンピュータ装置に送信することと、ここにおいて、前記カタログは、サービスコンピュータ装置から利用可能な製品またはサービスの少なくとも１つを識別する、前記製品またはサービスの少なくとも１つの各々は、前記製品またはサービスの少なくとも１つのそれぞれのプロバイダと、それぞれのサービスプロバイダとの間で協議された協定価格プランに対応する、
前記所与のコンピュータ装置から選択された製品またはサービスに関する要求を受信することと、ここにおいて、前記要求は、前記所与のコンピュータ装置、および前記カタログからの選択された製品またはサービスの識別情報に対応するユーザ情報を具備する、
前記所与のコンピュータ装置または前記所与のコンピュータ装置のユーザが前記選択された製品またはサービスへのアクセスのための現在の加入を有することを前記ユーザ情報が示すか否かを決定することと、
前記所与のコンピュータ装置または前記所与のコンピュータ装置のユーザが前記現在の加入を有していないと決定された場合に、前記要求に応答して、前記それぞれのサービスプロバイダによる前記選択された製品またはサービスの加入登録および課金について打ち合わせするために、前記選択された製品またはサービスに関連付けられたそれぞれのサービスプロバイダと調整することと、
（ｉ）前記所与のコンピュータ装置または前記所与のコンピュータ装置のユーザが前記現在の加入を有すると決定された場合、前記調整することをバイパスする間に、または、（ｉｉ）前記所与のコンピュータ装置または前記所与のコンピュータ装置のユーザが前記現在の加入を有していないと決定された場合、前記調整することと併せて、前記要求に応じて、前記選択された製品またはサービスを前記所与のコンピュータ装置に発送することと
を具備する方法。
【請求項２】
前記通信ネットワークは、無線ネットワークに対応し、前記所与のコンピュータ装置は無線装置に対応し、前記選択された製品またはサービスに関連付けられた前記それぞれのサービスプロバイダは、携帯電話無線ネットワーク通信事業者に対応する、請求項１の方法。
【請求項３】
前記調整することは、前記選択された製品またはサービスに関する要求が前記所与のコンピュータ装置から受信されると、前記所与のコンピュータ装置または前記所与のコンピュータ装置のユーザの前記それぞれのサービスプロバイダへのサービスプロバイダ加入を、そのような加入が開設されていない場合に、開設することを含む、請求項１の方法。
【請求項４】
製品および／またはサービスをクライアント装置に提供するように構成されたサーバー装置を動作する方法において、
カタログを送信することと、ここにおいて、前記カタログは、前記サーバー装置から利用可能な製品またはサービスの少なくとも１つを識別する、前記製品またはサービスの少なくとも１つの各々は、前記製品またはサービスの少なくとも１つのそれぞれのプロバイダと、それぞれのサービスプロバイダとの間での協定価格プランに対応する、
選択された製品またはサービスに関する要求を受信することと、ここにおいて、前記要求は、所与のクライアント装置に対応したユーザ情報と、前記カタログからの前記選択された製品またはサービスの識別情報とを具備する、
前記所与のクライアント装置または前記所与のクライアント装置のユーザが前記選択された製品またはサービスへのアクセスのための現在の加入を有することを前記ユーザ情報が示すか否か決定することと、
前記所与のクライアント装置または前記所与のクライアント装置のユーザが前記現在の加入を有していないと決定された場合、前記要求に応答して、前記それぞれのサービスプロバイダによって前記選択された製品またはサービスの加入登録および課金について打ち合わせることと、
（ｉ）前記所与のクライアント装置または前記所与のクライアント装置のユーザが前記現在の加入を有すると決定された場合、調整することをバイパスする間に、または、（ｉｉ）前記所与のクライアント装置または前記所与のクライアント装置のユーザが前記現在の加入を有していないと決定された場合、前記調整することと併せて、前記要求に応じて、前記選択された製品またはサービスを前記所与のクライアント装置に発送することと
を具備する方法。
【請求項５】
通信ネットワークを通して製品および／またはサービスをコンピュータ装置に提供するように構成されたサービスコンピュータ装置において、
前記通信ネットワークを通してカタログを所与のコンピュータ装置に送信するための手段と、ここにおいて、前記カタログは、サービスコンピュータ装置から利用可能な製品またはサービスの少なくとも１つを識別する、前記製品またはサービスの少なくとも１つの各々は、前記製品またはサービスの少なくとも１つのそれぞれのプロバイダと、それぞれのサービスプロバイダとの間で協議された協定価格プランに対応する、
前記所与のコンピュータ装置から選択された製品またはサービスに関する要求を受信するための手段と、ここにおいて、前記要求は、前記所与のコンピュータ装置、および前記カタログからの選択された製品またはサービスの識別情報に対応するユーザ情報を具備する、
前記所与のコンピュータ装置または前記所与のコンピュータ装置のユーザが前記選択された製品またはサービスへのアクセスのための現在の加入を有することを前記ユーザ情報が示すか否かを決定するための手段と、
前記所与のコンピュータ装置または前記所与のコンピュータ装置のユーザが前記現在の加入を有していないと決定された場合に、前記要求に応答して、前記それぞれのサービスプロバイダによる前記選択された製品またはサービスの加入登録および課金について打ち合わせするために、前記選択された製品またはサービスに関連付けられたそれぞれのサービスプロバイダと調整するための手段と、
（ｉ）前記所与のコンピュータ装置または前記所与のコンピュータ装置のユーザが前記現在の加入を有すると決定された場合、前記調整することをバイパスする間に、または、（ｉｉ）前記所与のコンピュータ装置または前記所与のコンピュータ装置のユーザが前記現在の加入を有していないと決定された場合、前記調整することと併せて、前記要求に応じて、前記選択された製品またはサービスを前記所与のコンピュータ装置に発送するための手段と
を具備するサービスコンピュータ装置。
【請求項６】
製品および／またはサービスをクライアント装置に提供するように構成されたサーバー装置において、
カタログを送信するための手段と、ここにおいて、前記カタログは、前記サーバー装置から利用可能な製品またはサービスの少なくとも１つを識別する、前記製品またはサービスの少なくとも１つの各々は、前記製品またはサービスの少なくとも１つのそれぞれのプロバイダと、それぞれのサービスプロバイダとの間での協定価格プランに対応する、
選択された製品またはサービスに関する要求を受信するための手段と、ここにおいて、前記要求は、所与のクライアント装置に対応したユーザ情報と、前記カタログからの前記選択された製品またはサービスの識別情報とを具備する、
前記所与のクライアント装置または前記所与のクライアント装置のユーザが前記選択された製品またはサービスへのアクセスのための現在の加入を有することを前記ユーザ情報が示すか否か決定するための手段と、
前記所与のクライアント装置または前記所与のクライアント装置のユーザが前記現在の加入を有していないと決定された場合、前記要求に応答して、前記それぞれのサービスプロバイダによって前記選択された製品またはサービスの加入登録および課金について打ち合わせるための手段と、
（ｉ）前記所与のクライアント装置または前記所与のクライアント装置のユーザが前記現在の加入を有すると決定された場合、調整することをバイパスする間に、または、（ｉｉ）前記所与のクライアント装置または前記所与のクライアント装置のユーザが前記現在の加入を有していないと決定された場合、前記調整することと併せて、前記要求に応じて、前記選択された製品またはサービスを前記所与のクライアント装置に発送するための手段と
を具備するサーバー装置。
【請求項７】
通信ネットワークを通して製品および／またはサービスをコンピュータ装置に提供するように構成されたサービスコンピュータ装置において、
前記通信ネットワークを通してカタログを所与のコンピュータ装置に送信し、ここにおいて、前記カタログは、サービスコンピュータ装置から利用可能な製品またはサービスの少なくとも１つを識別する、前記製品またはサービスの少なくとも１つの各々は、前記製品またはサービスの少なくとも１つのそれぞれのプロバイダと、それぞれのサービスプロバイダとの間で協議された協定価格プランに対応する、
前記所与のコンピュータ装置から選択された製品またはサービスに関する要求を受信し、ここにおいて、前記要求は、前記所与のコンピュータ装置、および前記カタログからの選択された製品またはサービスの識別情報に対応するユーザ情報を具備する、
前記所与のコンピュータ装置または前記所与のコンピュータ装置のユーザが前記選択された製品またはサービスへのアクセスのための現在の加入を有することを前記ユーザ情報が示すか否かを決定し、
前記所与のコンピュータ装置または前記所与のコンピュータ装置のユーザが前記現在の加入を有していないと決定された場合に、前記要求に応答して、前記それぞれのサービスプロバイダによる前記選択された製品またはサービスの加入登録および課金について打ち合わせするために、前記選択された製品またはサービスに関連付けられたそれぞれのサービスプロバイダと調整し、
（ｉ）前記所与のコンピュータ装置または前記所与のコンピュータ装置のユーザが前記現在の加入を有すると決定された場合、前記調整することをバイパスする間に、または、（ｉｉ）前記所与のコンピュータ装置または前記所与のコンピュータ装置のユーザが前記現在の加入を有していないと決定された場合、前記調整することと併せて、前記要求に応じて、前記選択された製品またはサービスを前記所与のコンピュータ装置に発送する
ように動作可能なコントローラを具備するサービスコンピュータ装置。
【請求項８】
製品および／またはサービスをクライアント装置に提供するように構成されたサーバー装置において、
カタログを送信し、ここにおいて、前記カタログは、前記サーバー装置から利用可能な製品またはサービスの少なくとも１つを識別する、前記製品またはサービスの少なくとも１つの各々は、前記製品またはサービスの少なくとも１つのそれぞれのプロバイダと、それぞれのサービスプロバイダとの間での協定価格プランに対応する、
選択された製品またはサービスに関する要求を受信し、ここにおいて、前記要求は、所与のクライアント装置に対応したユーザ情報と、前記カタログからの前記選択された製品またはサービスの識別情報とを具備する、
前記所与のクライアント装置または前記所与のクライアント装置のユーザが前記選択された製品またはサービスへのアクセスのための現在の加入を有することを前記ユーザ情報が示すか否か決定し、
前記所与のクライアント装置または前記所与のクライアント装置のユーザが前記現在の加入を有していないと決定された場合、前記要求に応答して、前記それぞれのサービスプロバイダによって前記選択された製品またはサービスの加入登録および課金について打ち合わせ、
（ｉ）前記所与のクライアント装置または前記所与のクライアント装置のユーザが前記現在の加入を有すると決定された場合、調整することをバイパスする間に、または、（ｉｉ）前記所与のクライアント装置または前記所与のクライアント装置のユーザが前記現在の加入を有していないと決定された場合、前記調整することと併せて、前記要求に応じて、前記選択された製品またはサービスを前記所与のクライアント装置に発送する
ように動作可能なコントローラを具備するサーバー装置。
【請求項９】
通信ネットワークを通して製品および／またはサービスをコンピュータ装置に提供するように構成されたサービスコンピュータ装置によって実行されると、前記サービスコンピュータ装置に動作を実行させる命令を格納した非一時的なコンピュータ読み取り可能な媒体において、前記動作は、
前記通信ネットワークを通してカタログを所与のコンピュータ装置に送信することと、ここにおいて、前記カタログは、サービスコンピュータ装置から利用可能な製品またはサービスの少なくとも１つを識別する、前記製品またはサービスの少なくとも１つの各々は、前記製品またはサービスの少なくとも１つのそれぞれのプロバイダと、それぞれのサービスプロバイダとの間で協議された協定価格プランに対応する
前記所与のコンピュータ装置から選択された製品またはサービスに関する要求を受信することと、ここにおいて、前記要求は、前記所与のコンピュータ装置、および前記カタログからの選択された製品またはサービスの識別情報に対応するユーザ情報を具備する、
前記所与のコンピュータ装置または前記所与のコンピュータ装置のユーザが前記選択された製品またはサービスへのアクセスのための現在の加入を有することを前記ユーザ情報が示すか否かを決定することと、
前記所与のコンピュータ装置または前記所与のコンピュータ装置のユーザが前記現在の加入を有していないと決定された場合に、前記要求に応答して、前記それぞれのサービスプロバイダによる前記選択された製品またはサービスの加入登録および課金について打ち合わせするために、前記選択された製品またはサービスに関連付けられたそれぞれのサービスプロバイダと調整することと、
（ｉ）前記所与のコンピュータ装置または前記所与のコンピュータ装置のユーザが前記現在の加入を有すると決定された場合、前記調整することをバイパスする間に、または、（ｉｉ）前記所与のコンピュータ装置または前記所与のコンピュータ装置のユーザが前記現在の加入を有していないと決定された場合、前記調整することと併せて、前記要求に応じて、前記選択された製品またはサービスを前記所与のコンピュータ装置に発送することと
を具備する、非一時的なコンピュータ読み取り可能な媒体。
【請求項１０】
製品および／またはサービスをクライアント装置に提供するように構成されたサーバー装置によって実行されると、前記サーバー装置に動作を実行させる命令を格納した非一時的なコンピュータ読み取り可能な媒体において、前記動作は、
カタログを送信することと、ここにおいて、前記カタログは、前記サーバー装置から利用可能な製品またはサービスの少なくとも１つを識別する、前記製品またはサービスの少なくとも１つの各々は、前記製品またはサービスの少なくとも１つのそれぞれのプロバイダと、それぞれのサービスプロバイダとの間での協定価格プランに対応する、
選択された製品またはサービスに関する要求を受信することと、ここにおいて、前記要求は、所与のクライアント装置に対応したユーザ情報と、前記カタログからの前記選択された製品またはサービスの識別情報とを具備する、
前記所与のクライアント装置または前記所与のクライアント装置のユーザが前記選択された製品またはサービスへのアクセスのための現在の加入を有することを前記ユーザ情報が示すか否か決定することと、
前記所与のクライアント装置または前記所与のクライアント装置のユーザが前記現在の加入を有していないと決定された場合、前記要求に応答して、前記それぞれのサービスプロバイダによって前記選択された製品またはサービスの加入登録および課金について打ち合わせることと、
（ｉ）前記所与のクライアント装置または前記所与のクライアント装置のユーザが前記現在の加入を有すると決定された場合、調整することをバイパスする間に、または、（ｉｉ）前記所与のクライアント装置または前記所与のクライアント装置のユーザが前記現在の加入を有していないと決定された場合、前記調整することと併せて、前記要求に応じて、前記選択された製品またはサービスを前記所与のクライアント装置に発送することと
を具備する、非一時的なコンピュータ読み取り可能な媒体。
【手続補正２】
【補正対象書類名】明細書
【補正対象項目名】００４３
【補正方法】変更
【補正の内容】
【００４３】
この発明は特に好適実施形態を参照して図示され記載されたけれども、以下のクレームに記載したこの発明の精神と範囲に逸脱することなく、種々の形態と詳細の変更を行ってもよいことは、当業者により理解されるであろう。更に、この発明のエレメントは、単数として記載されまたはクレームしてもよいけれども、単数への限定が明白に述べられない限り、複数が意図される。
以下に、出願当初の特許請求の範囲に記載された発明を付記する。
［Ｃ１］
下記を具備する、無線ネットワーク上の少なくとも１つのサーバーから無線装置に供給されるアプリケーションおよびサービスのための加入を自動的に作成するためのシステム：
無線ネットワークにわたって、他のコンピューター装置と選択的に通信する１つ以上の無線装置、各無線装置は、エンドユーザー、および選択的にダウンロード可能であり、ソフトウェアアプリケーションを実行可能であり、前記エンドユーザーによりアクセス可能なコンピュータープラットフォームを含み、前記無線装置は、さらに、前記無線ネットワークにアクセスするための加入者を有する；および
前記無線ネットワークにわたって前記１つ以上の無線装置と選択的に通信する少なくとも１つのサーバー、前記少なくとも１つのサーバーは、前記無線ネットワークを介して前記無線装置のエンドユーザーの要求に応じて前記１つ以上の無線装置と選択的に相互作用し、前記無線ネットワークにわたって前記少なくとも１つのサーバーとのエンドユーザーの相互作用は、アプリケーションまたはサービスの加入を生ぜしめ、そのような加入は、アプリケーションまたはサービスへの連続したアクセスのために前記無線装置加入者による定期的な支払いを必要とする。
［Ｃ２］
各無線装置のための前記加入は、前記少なくとも１つのサーバーにおいて加入データに集められる、Ｃ１のシステム。
［Ｃ３］
前記加入データは、前記無線ネットワークを介して他のコンピューター装置に送信される、Ｃ１のシステム。
［Ｃ４］
前記少なくとも１つのサーバーは、さらに、前記１つ以上の無線装置の加入のための請求明細書を定期的に発生する、Ｃ１のシステム。
［Ｃ５］
前記発生された請求明細書は、前記少なくとも１つのサーバーから前記無線ネットワーク上の他のコンピューター装置に送信される、Ｃ４のシステム。
［Ｃ６］
前記加入は、前記少なくとも１つのサーバーから前記無線装置コンピュータープラットフォームへのアプリケーションのダウンロード時に生じる、Ｃ１のシステム。
［Ｃ７］
前記加入は、前記少なくとも１つのサーバー上に存在するアプリケーションの実行時に生じる、Ｃ１のシステム。
［Ｃ８］
前記加入は、前記無線ネットワーク上の他のコンピューター装置上に存在するアプリケーションへの前記無線装置のアクセス時に生じ、前記少なくとも１つのサーバーはそのようなアクセスを記録する、Ｃ１のシステム。
［Ｃ９］
前記サーバーは、さらに、前記１つ以上の無線装置の加入終了イベントを追跡する、Ｃ１のシステム。
［Ｃ１０］
前記加入終了イベントは、前記エンドユーザーが加入を終了することを要求したことを前記無線装置が示すことである、Ｃ１のシステム。
［Ｃ１１］
前記加入終了イベントは、前記無線装置が加入したアプリケーションを削除することであり、前記無線装置は、前記少なくとも１つのサーバーにそのようなアプリケーション削除を通知する、Ｃ１のシステム。
［Ｃ１２］
下記を具備する、無線ネットワーク上の少なくとも１つのサーバーから無線装置に供給されるアプリケーションおよびサービスのための加入を自動的に作成するためのシステム：
無線ネットワークの全域で他のコンピューター装置と選択的に通信し、さらに、ソフトウェアアプリケーションを選択的にダウンロードし実行する無線通信手段、前記無線通信手段は、さらに前記無線ネットワークにアクセスするための加入者を有する；および  無線ネットワークの全域において、コンピューター装置との無線通信手段の相互作用を監視する加入監視手段、そのような相互作用は、アプリケーションまたはサービスの加入を生じ、そのような加入は、前記アプリケーションまたはサービスへの連続したアクセスのために前記無線通信手段加入者により定期的支払いを必要とする。
［Ｃ１３］
無線ネットワークの全域において１つ以上の無線装置と選択的に相互作用するサーバー、各無線装置は、エンドユーザー、およびソフトウェアアプリケーションを選択的にダウンロードし実行することができ、前記エンドユーザーによりアクセス可能なコンピュータープラットフォームを含み、前記無線装置は、さらに前記無線ネットワークにアクセスするために加入者を有し、前記サーバーは、無線ネットワークの全域において無線装置に供給されるアプリケーションおよびサービスのための加入を自動的に作成する、前記加入は、前記無線ネットワークの全域においてコンピューター装置とのエンドユーザーの相互作用により生じ、そのような加入は、前記アプリケーションまたはサービスへの連続したアクセスのために前記無線装置加入者による周期的な支払いを必要とする。
［Ｃ１４］
各無線装置のための加入は、前記サーバーにおいて加入データに集められる、Ｃ１３のサーバー。
［Ｃ１５］
前記加入データは、無線ネットワークの全域において他のコンピューター装置に送信される、Ｃ１３のサーバー。
［Ｃ１６］
前記少なくとも１つのサーバーは、さらに前記１つ以上の無線装置の前記加入のために請求明細書を周期的に発生する、Ｃ１３のサーバー。
［Ｃ１７］
前記サーバーの加入は、前記サーバーから前記無線装置コンピュータープラットフォームへのダウンロード時に生じる、Ｃ１３のサーバー。
［Ｃ１８］
前記加入は、前記サーバー上に常駐するアプリケーションの実行時に生じる、Ｃ１３のサーバー。
［Ｃ１９］
前記加入は、前記無線ネットワーク上の他のコンピューター装置上に常駐するアプリケーションへの前記無線装置のアクセス時生じ、前記サーバーはそのようなアクセスを記録する、Ｃ１３のサーバー。
［Ｃ２０］
前記サーバーは、前記１つ以上の無線装置の加入終了イベントをさらに追跡する、Ｃ１３のサーバー。
［Ｃ２１］
前記加入終了イベントは、前記エンドユーザーが前記加入を終了するように要求したことを前記無線装置が示すことである、Ｃ２０のサーバー。
［Ｃ２２］
前記サーバーは、無線装置が加入されたアプリケーションを削除する通知を受信し、それにより加入終了イベントを生じさせる、Ｃ２０のサーバー。
［Ｃ２３］
下記を具備する、無線ネットワーク上のコンピューター装置から無線装置に供給されるアプリケーションおよびサービスのための加入を自動的に作成するための方法：
無線装置とサーバーとの間におけるエンドユーザーの相互作用から、アプリケーションとサービスの加入を生じさせる、前記無線装置は、無線ネットワーク全域において他のコンピューター装置と選択的に通信し、ソフトウェアアプリケーションを選択的にダウンロードして実行し、前記エンドユーザーによりアクセス可能なコンピュータープラットフォームを含む；および
サーバーにおいて、無線装置のための前記加入を記録する、そのような加入は、前記アプリケーションまたはサービスへの連続したアクセスのために前記無線装置加入者により周期的な支払いを必要とする。
［Ｃ２４］
Ｃ２３の方法、無線ネットワーク上の他のコンピューター装置に前記記録された加入を送信するステップをさらに具備する、Ｃ２３の方法。
［Ｃ２５］
前記記録された加入に基づいて無線装置のための請求明細書を前記サーバーにおいて発生するステップをさらに具備する、Ｃ２３の方法。
［Ｃ２６］
前記請求明細書を前記サーバーから前記無線ネットワーク上の他のコンピューター装置に送信するステップをさらに具備する、Ｃ２５の方法。
［Ｃ２７］
前記加入を生じさせるステップは、前記無線ネットワーク上のコンピューター装置から前記無線装置コンピュータープラットフォームにアプリケーションをダウンロードすることを介して加入を生じさせる、Ｃ２３の方法。
［Ｃ２８］
前記加入を生じさせるステップは、前記無線装置上のアプリケーションの実行を介して加入を生じさせる、Ｃ２３の方法。
［Ｃ２９］
前記無線装置の加入終了イベントを追跡するステップをさらに具備する、Ｃ２３の方法。
［Ｃ３０］
前記加入終了イベントを追跡するステップは、前記エンドユーザーが前記加入を終了するように要求したことを示す無線装置の表示を追跡することである、Ｃ２９の方法。
［Ｃ３１］
前記加入終了イベントを追跡するステップは、無線装置が加入したアプリケーションを削除することを追跡することである、Ｃ３０の方法。
［Ｃ３２］
前記無線装置が、前記サーバーに、加入したアプリケーションの削除を通知するステップをさらに具備する、Ｃ３１の方法。
［Ｃ３３］
下記を具備する、無線ネットワーク上のコンピューター装置から無線装置に供給されるアプリケーションおよびサービスための加入を自動的に作成する方法：
前記無線装置から前記無線ネットワーク上のサーバーへの前記無線装置エンドユーザー相互作用から生じるアプリケーションおよびサービスの無線装置加入者により加入を生じさせるための加入者引き起こしステップ、そのような加入は、前記アプリケーションまたはサービスへの連続的なアクセスのために前記無線装置加入者による定期的支払いを必要とする；および
前記無線ネットワーク上の１つ以上のサーバーにおいて、前記無線装置のための前記加入の記録ステップ。
［Ｃ３４］
無線ネットワーク上のコンピューター装置により実行されると、前記コンピューター装置は、選択的にアプリケーションとサービスを無線ネットワーク上の無線装置に供給し、前記コンピューター装置に下記のステップを実行するように命令するコンピュータープログラム：
無線装置からコンピューター装置への無線装置エンドユーザー相互作用からアプリケーションとサービスの加入を生じさせる、前記無線装置は、無線ネットワークの全域において他のコンピューター装置と選択的に通信し、ソフトウェアアプリケーションを選択的にダウンロードし実行し、前記エンドユーザーによりアクセス可能なコンピュータープラットフォームを含む；および
前記コンピューター装置において、前記無線装置のための前記加入を記録する、そのような加入は、前記アプリケーションまたはサービスへの連続したアクセスのために前記無線装置加入者による定期的支払いを必要とする。
［Ｃ３５］
前記記録された加入を前記無線ネットワーク上の他のコンピューター装置に送信するステップを実行するように前記コンピューター装置にさらに命令する、Ｃ３４のプログラム。
［Ｃ３６］
前記記録された加入に基づいて無線装置のための請求明細書を発生するステップを実行するように前記コンピューター装置にさらに命令する、Ｃ３４のプログラム。
［Ｃ３７］
前記請求明細書を前記無線ネットワーク上の他のコンピューター装置に送信するステップを実行するように前記コンピューター装置にさらに命令する、Ｃ３６のプログラム。
［Ｃ３８］
プログラムは、加入を生じさせるステップに、コンピューター装置から無線装置コンピュータープラットフォームへのアプリケーションのダウンロードを介して加入を生じさせるように命令する、Ｃ３４のプログラム。
［Ｃ３９］
前記無線装置の加入終了イベントを追跡するステップを実行するように前記コンピューター装置にさらに命令する、Ｃ２３のプログラム。
［Ｃ４０］
前記プログラムは、前記加入終了イベントを追跡するステップに、前記エンドユーザーが前記加入を終了するように要求したことを示す無線装置の表示を追跡するように命令する、Ｃ３９のプログラム。
［Ｃ４１］
前記プログラムは、前記加入終了イベントを追跡するステップに、前記無線装置が加入されたアプリケーションを削除したことを示す無線装置からの通知を追跡するように命令する、Ｃ４０のプログラム。
【外国語明細書】
2014241152000001.pdf